(57)【要約】【課題】道路に面した建物の門からの歩行者の急な飛び出しによる交通事故を防止する。【解決手段】建物の門の内側付近に人がいることを検出する歩行者検出手段と、該歩行者検出手段が検出した人がいることの検出信号を建物の門前に接近する車両に通報する接近車両向け通報手段と、該接近車両向け通報手段による前記通報を受けて前記車両の運転者に警告する運転者向け警告手段と、前記建物の門に接近する車両を検出する接近車両検出手段と、該接近車両検出手段が車両を検出した場合に接近車両があることを前記建物の門の内側付近にいる人に警告する歩行者向け警告手段と、を備えて構成する。【選択図】図１
2006323666.tif 000002
【特許請求の範囲】
【請求項１】
建物の門の内側付近に人がいることを検出する歩行者検出手段と、
該歩行者検出手段が検出した人がいることの検出信号を建物の門前に接近する車両に通報する接近車両向け通報手段と、
該接近車両向け通報手段による前記通報を受けて前記車両の運転者に警告する運転者向け警告手段と、
前記建物の門に接近する車両を検出する接近車両検出手段と、
該接近車両検出手段が車両を検出した場合に接近車両があることを前記建物の門の内側付近にいる人に警告する歩行者向け警告手段と、を備えることを特徴とする歩行者飛び出し警報システム。
【請求項２】
請求項１に記載の歩行者飛び出し警報システムであって、
前記歩行者検出手段は、前記建物の門の内側付近を監視する監視カメラにて捉えた画像を画像解析して人がいることを検出するように構成されていることを特徴とする歩行者飛び出し警報システム。
【請求項３】
請求項１に記載の歩行者飛び出し警報システムであって、
前記歩行者検出手段は、人が携帯する発信機と、該発信機の送信する電波を受信する受信機を備えて構成されていることを特徴とする歩行者飛び出し警報システム。
【請求項４】
請求項３に記載の歩行者飛び出し警報システムであって、
前記人が携帯する発信機と、該発信機の発する電波を受信する受信機との間の通信はブルートゥースを用いた無線通信により行なうことを特徴とする歩行者飛び出し警報システム。
【請求項５】
請求項１に記載の歩行者飛び出し警報システムであって、
前記接近車両向け通報手段は、マイクロ波電波を用いた通信により通報を行なうことを特徴とする歩行者飛び出し警報システム。
【請求項６】
請求項１に記載の歩行者飛び出し警報システムであって、
前記接近車両向け通報手段は、ＤＳＲＣ通信にて通報を行なうことを特徴とする歩行者飛び出し警報システム。
【請求項７】
請求項１に記載の歩行者飛び出し警報システムであって、
前記運転者向け警告手段は、音声による警告、ブザー音による警告、表示装置への表示による警告、ヘッドアップ・ディスプレイを用いた表示による警告の何れか一つ以上の手段にて運転者に警告を伝えることを特徴とする歩行者飛び出し警報システム。
【請求項８】
請求項１に記載の歩行者飛び出し警報システムであって、
前記運転者向け警告手段は、更に前記車両に搭載されたブレーキ電子制御装置に対して車速を所定値以下に減速させる指令信号を出力することを特徴とする歩行者飛び出し警報システム。
【請求項９】
請求項１に記載の歩行者飛び出し警報システムであって、
前記接近車両検出手段は、前記車両に搭載されて車両前方に所定の電波を発信する発信機と、前記建物の門付近に設置されて該発信された電波を受信する受信機を備えて構成されていることを特徴とする歩行者飛び出し警報システム。
【請求項１０】
請求項１に記載の歩行者飛び出し警報システムであって、
前記歩行者向け警告手段は、音声による警告、ブザー音による警告の何れか、又はその双方により建物の門の内側付近にいる人に向けて直接に警告を行なうことを特徴とする歩行者飛び出し警報システム。
【請求項１１】
請求項１に記載の歩行者飛び出し警報システムであって、
前記歩行者向け警告手段は、前記警告を前記建物の門の内側付近にいる人の携帯する受信機に無線で伝え、該警告を受けた前記受信機は音声による警告、ブザー音による警告の何れか、又はその双方により該警告を伝えるように構成されていることを特徴とする歩行者飛び出し警報システム。
【発明の詳細な説明】
【技術分野】
【０００１】
本発明は、建物の門からの歩行者の急な飛び出しにより発生する交通事故を防止する技術に関する。
【背景技術】
【０００２】
車両が住宅街を走行中に、道路に面した建物の門から幼児、子供等が急に飛び出してきて事故となることがある。こうした飛び出し時や視界が悪い時における歩行者と車両との衝突事故を防止する従来技術としては、歩行者に発信機を携帯させてその発信電波を車両に搭載した受信機で捉えて運転者に注意を促す警報装置が知られている。しかし、この警報装置では、歩行者が安全な場所にいる場合にも警告がなされ、また事故を起こす恐れのない場所にいる車両にも警告がなされるため運転者は警告を煩わしく感じることがある。
【０００３】
歩行者と車両との衝突を扱ったものではないが歩行者の急な飛び出しによる事故防止にも応用可能な技術として、信号機もなく見通しも悪い交差点での車両同士の出合い頭の衝突を防止する技術が特許文献１に開示されている。これは互いに交差する一方の道路側に交差点への車両の進入を感知する感知手段を設置し、他方の道路側には警告手段を設置し、感知手段で警告手段を制御することにより他方の道路側の車両に一方の道路側から侵入する車両の有無を知らせるものである。しかし、この技術の場合、警告は一方通行であり他方の道路側の車両は一方の道路側から交差点に進入する車両の存在を知ることができない。
【特許文献１】特開平０５−０２８４００号公報
【発明の開示】
【発明が解決しようとする課題】
【０００４】
本発明はこのような従来技術の問題点を解決するためになされたもので、その課題は、道路に面した建物の門から急に飛び出してきそうな子供等の存在を検知し、接近する車両の運転者に注意を促すと同時に飛び出してきそうな子供等にも車両の接近を知らせ、もって急な飛び出しによる交通事故を防止する警報システムを提供することにある。
【課題を解決するための手段】
【０００５】
前記課題を解決するための請求項１に記載の発明は、建物の門の内側付近に人がいることを検出する歩行者検出手段と、該歩行者検出手段が検出した人がいることの検出信号を建物の門前に接近する車両に通報する接近車両向け通報手段と、該接近車両向け通報手段による前記通報を受けて前記車両の運転者に警告する運転者向け警告手段と、前記建物の門に接近する車両を検出する接近車両検出手段と、該接近車両検出手段が車両を検出した場合に接近車両があることを前記建物の門の内側付近にいる人に警告する歩行者向け警告手段と、を備えることを特徴とする歩行者飛び出し警報システムである。
【０００６】
このような構成の歩行者飛び出し警報システムによれば、建物の門の内側付近に歩行者がいることが検出されてその門前に接近してくる車両の運転者に知らされる。一方、門前に接近してくる車両が検出されて建物の門の内側付近にいる歩行者に知らされる。従って、知らされた運転者は減速等して注意運転を行ない、歩行者は急な飛び出しを行なわないよう行動することが可能となり、結果として歩行者の急な飛び出しによる交通事故が防止される効果を奏する。
【０００７】
また、請求項２に記載の発明は、請求項１に記載の歩行者飛び出し警報システムであって、前記歩行者検出手段は、前記建物の門の内側付近を監視する監視カメラにて捉えた画像を画像解析して人がいることを検出するように構成されていることを特徴とする。
【０００８】
監視カメラは視野を限定することが比較的容易であるので、視野を建物の門の内側付近に限定することで、急な飛び出しが考えられる場所付近にいる歩行者のみを検出することが可能となる利点がある。
【０００９】
また、請求項３に記載の発明は、請求項１に記載の歩行者飛び出し警報システムであって、前記歩行者検出手段は、人が携帯する発信機と、該発信機の送信する電波を受信する受信機を備えて構成されていることを特徴とする。
【００１０】
このような構成によれば比較的簡単に歩行者を検出することができる。建物の門の内側付近にいる歩行者のみを検出するためには、受信側のアンテナに受信指向性の強いアンテナを使用すればよい。
【００１１】
また、請求項４に記載の発明は、請求項３に記載の歩行者飛び出し警報システムであって、前記人が携帯する発信機と、該発信機の発する電波を受信する受信機との間の通信はブルートゥースを用いた無線通信により行なうことを特徴とする。
ブルートゥース（登録商標）による発信機は非常に小型に製作することができ、歩行者の携帯する発信機を小型化できる利点がある。
【００１２】
また、請求項５に記載の発明は、請求項１に記載の歩行者飛び出し警報システムであって、前記接近車両向け通報手段はマイクロ波電波を用いた通信により通報を行なうことを特徴とする。
マイクロ波電波は非常に指向性が強い。従って、門前に向けて進行してくる車両にのみその電波を受信させることが可能となる利点がある。
【００１３】
また、請求項６に記載の発明は、請求項１に記載の歩行者飛び出し警報システムであって、前記接近車両向け通報手段はＤＳＲＣ通信にて通報を行なうことを特徴とする。
ＤＳＲＣ通信は車車間通信やＥＴＣシステムで使用されので、最近の多くの車両はＤＳＲＣ通信用の送受信機を備えている。従って、ＤＳＲＣ通信で行なえばそれらの送受信機を兼用使用することが可能となる利点がある。
【００１４】
また、請求項７に記載の発明は、請求項１に記載の歩行者飛び出し警報システムであって、前記運転者向け警告手段は、音声による警告、ブザー音による警告、表示装置への表示による警告、ヘッドアップ・ディスプレイを用いた表示による警告の何れか一つ以上の手段にて運転者に警告を伝えることを特徴とする。
このような手段によれば、飛び出してきそうな歩行者がいることを確実に運転者に伝えることができる。
【００１５】
また、請求項８に記載の発明は、請求項１に記載の歩行者飛び出し警報システムであって、前記運転者向け警告手段は、更に前記車両に搭載されたブレーキ電子制御装置に対して車速を所定値以下に減速させる指令信号を出力することを特徴とする。
このようにブレーキ電子制御装置に指令信号を送って車速を所定値以下に減速させれば、事故防止の効果が一層向上する。
【００１６】
また、請求項９に記載の発明は、請求項１に記載の歩行者飛び出し警報システムであって、前記接近車両検出手段は、前記車両に搭載されて車両前方に所定の電波を発信する発信機と、前記建物の門付近に設置されて該発信された電波を受信する受信機を備えて構成されていることを特徴とする。
本構成のようにすれば、接近車両の検出を容易に行なうことができる。
【００１７】
また、請求項１０に記載の発明は、請求項１に記載の歩行者飛び出し警報システムであって、前記歩行者向け警告手段は音声による警告、ブザー音による警告の何れか、又はその双方により建物の門の内側付近にいる人に向けて直接に警告を行なうことを特徴とする。
このような警告手段を設ければ、門前を視認できない歩行者も接近してくる車両の存在を知ることができ、飛び出し行為を思い止まることができる。
【００１８】
また、請求項１１に記載の発明は、請求項１に記載の歩行者飛び出し警報システムであって、前記歩行者向け警告手段は、前記警告を前記建物の門の内側付近にいる人の携帯する受信機に無線で伝え、該警告を受けた前記受信機は音声による警告、ブザー音による警告の何れか、又はその双方により該警告を伝えるように構成されていることを特徴とする。
このような構成によっても歩行者は接近してくる車両の存在することを知ることができる。
【発明を実施するための最良の形態】
【００１９】
以下、本発明に係る歩行者飛び出し警報システムの一実施形態を図面を参照して詳しく説明する。図１は、その歩行者飛び出し警報システムの構成をブロック図で示したものである。
本実施形態の歩行者飛び出し警報システム１は、携帯装置２、監視装置３、車載装置４を備えて構成される。図２は、それらの各装置の配置状況、及び全体の使用状態を説明するための図である。
【００２０】
携帯装置２は歩行者が携帯する装置であり、本実施形態では建物５の門の内側付近にいる幼児、子供、老人等の歩行者７、８により携帯される。そして歩行者７、８の存在を検知したり歩行者７、８に注意を与えたりするために使用される。
【００２１】
監視装置３は、建物５の門の付近、例えば門柱６の上に設置される。監視装置３は建物５の門の内側付近に歩行者７、８がいることを検出して道路９上を門前に向かって進行してくる車両１０に通報したり、逆に接近してくる車両１０を検出して門内側の歩行者７、８に注意を与えたりするためのものである。
【００２２】
車載装置４は車両１０に搭載されている装置で、監視装置３より建物５の門の内側付近に歩行者７、８がいることの通報を受けて運転者に注意を促したり、逆に車両１０が門前に接近中であることを監視装置３に知らせたりするためのものである。
【００２３】
次に各装置の構成について説明する。携帯装置２は、携帯制御回路２１、送受信機２２、音声出力装置２３、スピーカ２３ａ、ブザー２４を備えて構成される。携帯制御回路２１は携帯装置２の全体動作を制御するもので、マイクロコンピュータを主体に構成されており内部には周知のＣＰＵ、ＲＡＭ、ＲＯＭ、これらを接続するバスライン、電源バッテリー等を備える。携帯制御回路２１は内部のＲＯＭに記憶されたプログラムにより動作する。
【００２４】
送受信機２２は、後述する監視装置３が備える送受信機３３との間で無線交信を行なうためのものである。交信は、例えばブルートゥース（ｂｌｕｅｔｏｏｔｈ）（商標登録）規格による無線伝送方式で行なう。送受信機２２からは歩行者７、８がいることを知らせるための電波が監視装置３に向けて送信される。逆に、携帯装置２からは建物５の門前に向けて接近してくる車両１０が存在することを知らせる情報を受け取る。
【００２５】
音声出力装置２３とスピーカ２３ａは、建物５の門前に向けて接近してくる車両１０が存在する情報を送受信機２２が受け取った場合に、その情報を携帯装置２を携帯する歩行者７、８に音声で伝えるためのものである。ブザー２４は、同じ情報を音声の代わりにブザー音で知らせるためのものである。
【００２６】
監視装置３は、監視制御回路３１、監視カメラ３２、送受信機３３、３４、音声出力装置３５、スピーカ３５ａ、ブザー３６、マイクロ波発信装置３７を備えて構成される。監視制御回路３１は監視装置３の全体動作を制御するもので、マイクロコンピュータを主体に構成されており内部には周知のＣＰＵ、ＲＡＭ、ＲＯＭ、これらを接続するバスライン、電源回路等を備える。監視制御回路３１は内部のＲＯＭに記憶されたプログラムにより動作する。
【００２７】
監視カメラ３２は、建物５の門の内側付近の像を捉えて監視制御回路３１に渡す。監視制御回路３１は渡された画像を画像解析して歩行者を発見する。
送受信機３３は、前述した携帯装置２が備える送受信機２２との間で無線交信を行なうためのものである。建物５の門の内側付近に歩行者７、８が携帯する携帯装置２から発せられる電波を受信して歩行者７、８の存在を検出する。反対に、携帯装置２に対しては建物５の門前に向けて接近してくる車両１０が存在することを知らせる情報を送信する。
【００２８】
送受信機３４は、後述する車載装置４が備える送受信機４２との間で無線交信を行なうためのものである。交信は、例えば車車間通信やＥＴＣシステムに使用されるＤＳＲＣ（Dedicated Short Range Communication：狭域通信）による通信方式にて行なう。車載装置４に対しては、建物５の門の内側付近に人がいることを知らせる情報を送信する。一方、車載装置４の発する電波を受信して建物５の門前に向けて接近してくる車両１０が存在することを検出する。
【００２９】
音声出力装置３５とスピーカ３５ａは、建物５の門前に向けて接近してくる車両１０が存在することを付近の歩行者７、８に音声で知らせるためのものである。ブザー３６は、同じ情報を音声の代わりにブザー音で知らせるためのものである。
【００３０】
マイクロ波発信装置３７は、建物５の門の内側付近に歩行者７、８がいることをマイクロ波を用いた通信で車載装置４に知らせるためのものである。マイクロ波の電波は指向性が強いため、実際に建物５の門前に向けて接近してくる車両１０に対してのみ情報を伝えることができる利点がある。なお、建物５の門の内側付近に人がいることを知らせる情報は、送受信機３４又はマイクロ波発信装置３７の何れかにより送信して伝えればよく、必ずしも双方で伝える必要はない。
【００３１】
車載装置４は、車載制御回路４１、送受信機４２、音声出力装置４３、スピーカ４３ａ、ブザー４４、表示装置４５、マイクロ波受信装置４６を備えて構成される。車載制御回路４１は車載装置４の全体動作を制御するもので、マイクロコンピュータを主体に構成されており内部には周知のＣＰＵ、ＲＡＭ、ＲＯＭ、これらを接続するバスライン、電源回路等を備える。車載制御回路４１は内部のＲＯＭに記憶されたプログラムにより動作する。
【００３２】
送受信機４２は、監視装置３の送受信機３４より建物５の門の内側付近に人がいることを知らせる情報を受け取る。一方、監視装置３に対しては車載装置４を搭載する車両１０の存在を知らせる電波を送信する。
【００３３】
音声出力装置４３とスピーカ４３ａは、建物５の門の内側付近に人がいることを音声で運転者に知らせるためのものである。ブザー４４は、同じ情報を音声の代わりにブザー音で知らせるためのものである。表示装置４５は同じ情報を文字、記号、図形等の表示で知らせるためのものである。なお、表示装置４５としてはヘッドアップ・ディスプレイを用いた表示装置を採用してもよい。
【００３４】
マイクロ波受信装置４６は、監視装置３のマイクロ波発信装置３７の発するマイクロ波電波を受信し、建物５の門の内側付近に人がいることを車載制御回路４１に知らせるためのものである。
【００３５】
次に、かかる構成の下での歩行者飛び出し警報システム１の作用について説明する。本歩行者飛び出し警報システム１は、前述したように道路に面した建物の門から急に飛び出してきそうな子供等の存在を検知して接近する車両の運転者に注意を促すと同時に飛び出してきそうな子供等にも車両の接近を知らせ、もって急に飛び出しによる交通事故を防止することを目的とするものである。
【００３６】
そのためには、まず建物５の門の内側付近に子供、老人等の歩行者７、８がいることを検出する必要がある。その検出は監視装置３の監視カメラ３２の捉えた画像を画像解析プログラムを使用して解析するか、又は歩行者７、８の携帯する携帯装置２の送受信機２２が常時送信する電波を送受信機３３で捉えることにより行なう。監視カメラ３２は、視野を建物５の門の内側付近に限定することでその付近にいる歩行者７、８のみを検出することができる。一方、送受信機２２の発する電波は指向性が低い。従って、建物５の門の内側付近にいる歩行者７、８のみを検出するために、監視装置３の送受信機３３の受信アンテナは建物５の門の内側付近から発生される電波のみを受信できる受信指向性をもったアンテナを使用するようにする。このようにすれば建物５の門の内側付近にいる歩行者７、８のみを検出することができる。
【００３７】
建物５の門の内側付近に歩行者７、８がいることが検出されると、その情報は監視制御回路３１に伝えられる。情報を受けた監視制御回路３１は、送受信機３４又はマイクロ波発信装置３７を使用してその情報を接近してくる車両１０に伝える。
【００３８】
マイクロ波の場合は指向性が強いので門前の道路９における車両の進行方向を考慮して、門前に向けて進行してくる車両１０のみがそのマイクロ波電波を受信するようにその放射方向を定めておく。送受信機３４からＤＳＲＣ通信による電波を放射する場合も、発信用アンテナに指向性の強いアンテナを使用することで、門前に向けて進行してくる車両１０のみにその電波が受信されるようにしておく。
【００３９】
接近してくる車両１０は、送受信機４２又はマイクロ波受信装置４６により建物５の門の内側付近に歩行者７、８がいることの情報を受信する。受信した情報は車載制御回路４１に伝えられる。情報を受けた車載制御回路４１は、その情報を直ちに運転者に知らせて注意を促す。運転者への情報の伝達は、スピーカ４３ａからの音声、ブザー４４によるブザー音、表示装置４５への警告文の表示の何れか、又はその組み合わせで行なう。
【００４０】
これらの警告を運転者に伝える他に、車速が所定値以上である場合には自動的に車速を減速させるようにしてもよい。そのためは、車載制御回路４１はブレーキＥＣＵ（電子制御装置）４７に対して車速を所定値以下に減速させる指令信号を出力する。このようにすれば事故防止の効果を高めることができる。
【００４１】
このように運転者の注意を促したり車速を減速させたりせれば歩行者７、８の飛び出しによる事故が防止される効果を期待できる。しかし、更に事故防止の効果を上げるには、歩行者７、８に対しても門前に接近してくる車両１０が存在することを知らせ、急な飛び出しを行なわないように警告することが好ましい。本実施形態の歩行者飛び出し警報システム１では、そうした警告を歩行者７、８に対して行なう。
【００４２】
そのために、車両１０は自車の存在を知らせるための電波を送受信機４２のアンテナから前方に向けて常時発信する。監視装置３の送受信機３４は、その電波の存在を常時監視する。そして、その車両１０の存在を知らせる電波を受信したならば、その情報を直ちに監視制御回路３１に伝える。監視装置３は、スピーカ３５ａからの音声又はブザー３６のブザー音により建物５の門の内側付近にいる歩行者７、８に対して車両１０の接近を知らせる。同時に急な飛び出しを行なわないように注意を促す。これとは別に、又は並行して監視装置３の送受信機３３からの電波により携帯装置２の送受信機２２に同じ情報を伝え、携帯装置２のスピーカ２３ａからの音声又はブザー２４によるブザー音により注意を促すようにしてもよい。
【００４３】
このようにして本実施形態の歩行者飛び出し警報システム１によれば、建物の門の内側付近に歩行者がいることが検出されて、その門前に接近してくる車両の運転者に知らされる。一方、門前に接近してくる車両が検出されて建物の門の内側付近にいる歩行者に知らされる。従って、運転者は減速等して注意運転を行ない、歩行者は急な飛び出しを行なわないよう行動することが可能となり、結果として歩行者の急な飛び出しによる交通事故が防止される効果を奏する。
【図面の簡単な説明】
【００４４】
【図１】本発明に係る歩行者飛び出し警報システムの一構成例をブロック図で表わしたものである。
【図２】歩行者飛び出し警報システムを構成する各装置の配置状況及び全体の使用状態を説明するための図である。
【符号の説明】
【００４５】
図面中、１は歩行者飛び出し警報システム、２は携帯装置、３は監視装置、４は車載装置、５は建物、６は門柱、７、８は歩行者、９は道路、１０は車両、２１は携帯制御回路、２２、３３、３４、４２は送受信機、２３、３５、４３は音声出力装置、２３ａ、３５ａ、４３ａはスピーカ、２４、３６、４４はブザー、３２は監視カメラ、３７はマイクロ波発信装置、４５は表示装置、４６はマイクロ波受信装置、４７はブレーキＥＣＵ（電子制御装置）を示す。
【図１】
2006323666.tif 000003
【図２】
2006323666.tif 000004